(57)【要約】  生体イメージングのための顕微鏡システムであって、生体試料の画像の画像品質を監視するための画像品質監視システムであり、システムのユーザに、生体試料の画像において１以上の生体基準オブジェクト（ＢＲＯ）を選択させるように構成される生体オブジェクト選択手段と、１以上のＢＲＯの画像画素の信号レベルを画像背景信号レベルと比較して、生体試料の画像に対する１以上の画像品質パラメータを計算するように構成される画像品質評価手段とを備える画像品質監視システムを備える顕微鏡システム。システムは、ＢＲＯに対して固有の画像品質の指標としてユーザに画像品質パラメータを提示するように構成される。【選択図】  図４
2014523545.tif 000002
【特許請求の範囲】
【請求項１】
生体イメージングのための顕微鏡システムであって、生体試料の画像の画像品質を監視するための画像品質監視システムであり、
前記システムのユーザに、前記生体試料の前記画像において１以上の生体基準オブジェクト（ＢＲＯ）を選択させるように構成される生体オブジェクト選択手段と、
前記１以上のＢＲＯの画像画素の信号レベルを画像背景信号レベルと比較して、前記生体試料の前記画像に対する１以上の画像品質パラメータを計算するように構成される画像品質評価手段とを備える画像品質監視システムを備え、
前記システムが、前記ＢＲＯに対して固有の前記画像品質の指標として前記ユーザに前記画像品質パラメータを提示するように構成される顕微鏡システム。
【請求項２】
前記画像品質パラメータが、
前記ＢＲＯと背景との間の相対信号、
前記相対信号と前記背景との間の信号対背景比（ＳＢＲ）及び、
前記相対信号と背景雑音との間の信号対雑音比
のうちの１つ以上である、請求項１記載の顕微鏡システム。
【請求項３】
前記システムのユーザに、前記生体試料の前記表示される画像において１以上の背景基準領域（ＢＲＲ）を選択させるように構成される背景選択手段を備え、前記システムが、前記１以上の画像品質パラメータを計算するために、前記画像背景信号レベルとして前記１以上のＢＲＲの画像画素の信号レベルを使用するように構成される、請求項１又は請求項２記載の顕微鏡システム。
【請求項４】
前記生体試料の前記表示される画像において１以上の背景基準領域（ＢＲＲ）を自動的に選択するように構成され、前記１以上の画像品質パラメータを計算するために、前記画像背景信号レベルとして前記１以上のＢＲＲの画像画素の信号レベルを使用するように構成される、請求項１又は請求項２記載の顕微鏡システム。
【請求項５】
最も低い信号レベルを伴う前記画像画素を位置特定することによりＢＲＲを選択するように構成される、請求項４記載の顕微鏡システム。
【請求項６】
前記生体オブジェクト選択手段が、前記生体試料の前記表示される画像において１以上の関心領域（ＲＯＩ）をマーキングすることにより、前記ユーザに前記１以上のＢＲＯを選択させるように構成される、請求項１乃至請求項５のいずれか１項記載の顕微鏡システム。
【請求項７】
ＢＲＯクラスに関して所定の基準値に関係して、前記計算された画像品質パラメータを提示するように構成され、前記システムが、前記ユーザに異なるＢＲＯクラスの範囲から適切なＢＲＯクラスを選択させるように構成される、請求項１乃至請求項６のいずれか１項記載の顕微鏡システム。
【請求項８】
前記システムが、前記ユーザにより選択される前記ＢＲＯ／ＢＲＲの特徴付ける特徴部に基づいて、前記画像において又は後続の画像において、追加的なＢＲＯ及び／又はＢＲＲを自動的に検出且つ選択するように、並びに、前記追加的なＢＲＯ及び／又はＢＲＲを前記画像品質パラメータの計算のために使用するように構成される、請求項１乃至請求項７のいずれか１項記載の顕微鏡システム。
【請求項９】
前記システムが、前記試料の横方向の偏移に基づいて、前記画像において又は後続の画像において、ＢＲＯ及び／又はＢＲＲを自動的に再度位置決めするように構成される、請求項１乃至請求項８のいずれか１項記載の顕微鏡システム。
【請求項１０】
前記ユーザが機能的に規定された最適化モードのリストから最適化モードを選択することを可能にするための画像品質オプティマイザを備え、１以上の画像取得パラメータを自動的にセットして、前記ＢＲＯに基づいて、選択された最適化モードに対する最適なイメージングを実現するように構成される、請求項１乃至請求項９のいずれか１項記載の顕微鏡システム。
【請求項１１】
前記機能的に規定された最適化モードが、
最良の画像品質、
高速の取得、
低い退色及び、
３Ｄイメージング
のうちの１つ以上を含む、請求項１０記載の顕微鏡システム。
【請求項１２】
励起光源及び、前記生体試料から放射される蛍光を自記するように構成される検出器を備える蛍光顕微鏡である、請求項１乃至請求項１１のいずれか１項記載の顕微鏡システム。
【請求項１３】
共焦点顕微鏡又は可変の共焦点絞りを伴うライン共焦点顕微鏡である、請求項１２記載の顕微鏡システム。
【請求項１４】
グラフィカルユーザインターフェースを備える画像品質監視システムを使用して生体試料の画像の画像品質を監視し、
前記グラフィカルユーザインターフェースの生体オブジェクト選択手段を使用して、前記生体試料の前記画像において１以上の生体基準オブジェクト（ＢＲＯ）を選択し、
前記１以上のＢＲＯの画像画素の信号レベルを画像背景信号レベルと比較して、前記生体試料の前記画像に対する１以上の画像品質パラメータを計算し、且つ、
前記グラフィカルユーザインターフェースを介して、前記ＢＲＯに対して固有の前記画像品質の指標として前記画像品質パラメータを提示する
ことを含む方法。
【発明の詳細な説明】
【技術分野】
【０００１】
本発明は、生体イメージングのための顕微鏡システム及び方法に関し、特に、生体試料の画像の画像品質を監視するためのシステムを備える顕微鏡システムに関する。
【背景技術】
【０００２】
一般に、試料のごく小さな関心領域を研究するとき、研究者は、蛍光顕微鏡を用いて試料を観察することが多い。顕微鏡は、従来の広視野の、立体照明又は共焦点顕微鏡であり得る。そのような顕微鏡の光学構成は、典型的には、光源、照射光学素子、ビーム偏向器、対物レンズ、試料保持器、フィルタユニット、イメージング光学素子、検出器及びシステム制御ユニットを含む。光源から放射される光は、照射光学素子及び対物レンズを通過した後、試料上の関心領域を照射する。顕微鏡対物レンズは、接眼レンズを介して観察され得る物体の拡大された画像を形成し又はデジタル顕微鏡の場合では、拡大された画像は、検出器により取り込まれ、ライブでの観察、データ記憶及び追加の分析のためにコンピュータに送出される。
【０００３】
広視野顕微鏡では対象は、任意の標準的な顕微鏡でのような従来の広視野の方策を使用して及び蛍光放射を収集してイメージングされる。一般に、蛍光染色された、すなわちラベリングされた試料は、適切な波長の励起光を用いて照射され、放射光が画像を得るために使用され、光学フィルタ及び／又は二色鏡が、励起光及び放射光を分離するために使用される。
【０００４】
共焦点顕微鏡は、イメージングのために専門化した光学システムを利用する。最も単純なシステムでは、関連性のある蛍光体の励起波長で動作するレーザが試料上の１点に集束させられ、同時に、この照射点からの蛍光放射が、小面積検出器上にイメージングされる。試料のすべての他の区域から放射されるいかなる光も、照射スポットから生じる光を前方に透過させる、検出器の前に配置される小さなピンホールにより排除される。励起スポット及び検出器は、完全な画像を形成するためにラスタパターンで、試料全体で走査される。当業者によく知られている、速度及びスループットを改善且つ最適化するための種々の方策が存在する。
【０００５】
ライン共焦点顕微鏡は共焦点顕微鏡を改良したものであり、蛍光励起源はレーザビームであるが、ビームは、単一の点ではなく試料上の細いライン上に集束させられる。次いで蛍光放射が、空間フィルタとして働くスリットを通って光学検出器上でイメージングされる。試料のいかなる他の区域から放射される光も焦点外れのままであり、結果としてスリットにより遮断される。２次元画像を形成するために、ラインが、ラインカメラを同時に読み出しながら試料全体で走査される。このシステムを、適切な光学配置構成を使用することにより、同時にいくつかのレーザ及びいくつかのカメラを使用するように拡張することが可能である。
【０００６】
１つのタイプのライン共焦点顕微鏡が、参照により組み込まれている米国特許第７，３３５，８９８号で開示されており、光学検出器は、ローリングラインシャッタモードで動作させられる２次元センサ素子であり、そのことにより、機械式スリットを省くことが可能であり、全体のシステム設計を簡略化することが可能である。
【０００７】
上記のタイプの顕微鏡システムがさらに開発され、新しい技術が発明されるにつれて、そのようなシステムのユーザは、多数の画像取得パラメータに対して最も適切な値を選択することにより、より良好な画像を得る可能性がますます高くなる。生体イメージングのための顕微鏡システムの大部分のユーザは、むしろ生物学者であり、先進的な光学の分野の専門家ではないので、その人たちが、画像から可能な限り多くの情報を得るために画像取得パラメータを最適化するのを補助するツールに対する必要性が存在する。
【先行技術文献】
【特許文献】
【０００８】
【特許文献１】米国特許第２００３００７１２２６号
【発明の概要】
【課題を解決するための手段】
【０００９】
本発明の目的は、従来技術の１以上の欠点を克服する、生体イメージングのための新しい顕微鏡システムを提供することである。このことは、独立請求項において定義するような生体イメージングのための顕微鏡システムにより実現される。
【００１０】
生体イメージングのためのそのような顕微鏡システムを用いる１つの利点は、そのシステムが、画像品質の指標としてユーザに画像品質パラメータを提示するように構成され、画像品質パラメータが、イメージングされる生体試料に直接関係するということである。
【００１１】
一実施形態によれば、生体イメージングのための顕微鏡システムであって、生体試料の画像の画像品質を監視するための画像品質監視システムであり、
システムのユーザに、生体試料の画像において１以上の生体基準オブジェクト（Biological Reference Object；ＢＲＯ）を選択させるように構成される生体オブジェクト選択手段と、
１以上のＢＲＯの画像画素の信号レベルを画像背景信号レベルと比較して、生体試料の画像に対する１以上の画像品質パラメータを計算するように構成される画像品質評価手段とを備える画像品質監視システムを備え、
システムが、ＢＲＯに対して固有の画像品質の指標としてユーザに画像品質パラメータを提示するように構成される顕微鏡システムが提供される。
【００１２】
画像品質パラメータは、
・ＢＲＯと背景との間の相対信号、
・相対信号と背景との間の信号対背景比（ＳＢＲ）及び、
・相対信号と背景雑音との間の信号対雑音比
のうちの１つ以上であり得る。
【００１３】
顕微鏡システムは、システムのユーザに、生体試料の表示される画像において１以上の背景基準領域（Background Reference Region；ＢＲＲ）を選択させるように構成される背景選択手段を備える場合があり、システムは、１以上の画像品質パラメータを計算するために、画像背景信号レベルとして１以上のＢＲＲの画像画素の信号レベルを使用するように構成される。
【００１４】
顕微鏡システムは、生体試料の表示される画像において１以上の背景基準領域（ＢＲＲ）を自動的に選択するように構成され、１以上の画像品質パラメータを計算するために、画像背景信号レベルとして１以上のＢＲＲの画像画素の信号レベルを使用するように構成し得る。
【００１５】
顕微鏡システムは、最も低い信号レベルを伴う画像画素を位置特定することによりＢＲＲを選択するように構成し得る。
【００１６】
顕微鏡システムの生体オブジェクト選択手段は、生体試料の表示される画像において１以上の関心領域（ＲＯＩ）をマーキングすることにより、ユーザに１以上のＢＲＯを選択させるように構成し得る。
【００１７】
顕微鏡システムは、ＢＲＯクラスに関して所定の基準値に関係して、計算された画像品質パラメータを提示するように構成し得るものであり、システムは、ユーザに異なるＢＲＯクラスの範囲から適切なＢＲＯクラスを選択させるように構成される。
【００１８】
顕微鏡システムは、ユーザにより選択されるＢＲＯ／ＢＲＲの特徴付ける特徴部に基づいて、画像において又は後続の画像において、追加的なＢＲＯ及び／又はＢＲＲを自動的に検出且つ選択するように、並びに、それらの追加的なＢＲＯ及び／又はＢＲＲを画像品質パラメータの計算のために使用するように構成し得る。
【００１９】
顕微鏡システムは、ユーザが機能的に規定された最適化モードのリストから最適化モードを選択することを可能にする画像品質オプティマイザを備え得るものであり、システムは、１以上の画像取得パラメータを自動的にセットして、ＢＲＯに基づいて、選択された最適化モードに対する最適なイメージングを実現するように構成される。機能的に規定された最適化モードは、
・最良の画像品質、
・高速の取得、
・低い退色及び、
・３Ｄイメージング
のうちの１つ以上であり得る。
【００２０】
顕微鏡システムは、励起光源及び、生体試料から放射される蛍光を自記するように構成される検出器を備える蛍光顕微鏡であり得る。顕微鏡システムは、共焦点顕微鏡又は可変の共焦点絞りを伴うライン共焦点顕微鏡であり得る。
【００２１】
本発明の適用可能性のさらなる範囲は、以降で与える詳細な説明から明らかになろう。しかしながら詳細な説明及び具体例は、本発明の好ましい実施形態を指示してはいるが、単に例示として与えるものであることを理解されたい。本発明の趣旨及び範囲の範囲内での様々な変更及び修正が、下記の詳細な説明から当業者には明らかになろう。
【図面の簡単な説明】
【００２２】
【図１】本発明による顕微鏡システムの概略ブロック図である。
【図２】画像品質パラメータを計算するための主要パラメータの概略的な例示の図である。
【図３】生体試料の画像の例を示す図である。
【図４】画像品質パラメータのグラフィカル表現の例の図である。
【発明を実施するための形態】
【００２３】
本発明の実施形態は、類似の構成要素が同じ符号によって識別される図面を参照して説明される。実施形態の説明は一例としてのものであり、本発明の範囲を限定することは意図されない。
【００２４】
図１は、典型的なデジタル蛍光顕微鏡システムの本質的な構成要素のブロック図を例示する。この自動化デジタル顕微鏡システム１００は、以下の構成要素、すなわち、光源１０１、照射光学素子１０２、ビーム屈折光学素子１０５（任意）、対物レンズ１０７、試料１０９を保持するための試料保持器１１１、ステージ１１３、イメージング光学素子１１５、光学検出器１１７及びシステム制御ユニット１２１を含む。システムは、共焦点及び広視野の顕微鏡において通常見出されることになるような他の構成要素を包含し得る。以下の節では、これら及び他の構成要素をより詳細に説明する。いくつかの構成要素に関しては、可能性のある複数の実施形態が存在する。一般に、好ましい実施形態は対象の用途によって決まる。
【００２５】
光源１０１は、ランプ、レーザ、複数のレーザ、発光ダイオード（ＬＥＤ）、複数のＬＥＤ又は、光ビームを発生させる当業者に知られている任意のタイプの光源であり得る。光ビームは、光源１０１、照射光学素子１０２、ビーム屈折光学素子１０５及び対物レンズ１０７により給送されて、試料１０９を照射する。試料１０９は、生きた生体材料／組織体、生体細胞、非生体試料等々であり得る。照射光学素子１０２は、試料１０９の所望の照射を提供可能である任意の光学要素又は要素の組み合わせを備え得る。一実施形態によれば、顕微鏡システムは点走査共焦点顕微鏡である。一実施形態によれば、顕微鏡システムはライン走査共焦点顕微鏡であり、照射光学素子は、パウエルレンズ等々のようなライン形成要素を備える。ビーム屈折光学素子１０５は、顕微鏡タイプに応じた典型的な走査鏡又は二色鏡である。試料１０９から放射される放射光は対物レンズ１０７により収集され、次いで試料１０９の画像が、光学検出器１１７上のイメージング光学素子１１５により形成される。光学検出器１１７は、電荷結合素子（ＣＣＤ）、相補型金属酸化膜半導体（ＣＭＯＳ）画像検出器又は当業者により利用される任意の２Ｄアレイ光学検出器であり得る。一実施形態によれば顕微鏡システムは、ＰＭＴ等々のような点検出器を備える点走査共焦点顕微鏡であり得る。光学検出器１１７は、任意には、電気的又はワイヤレスに、通信リンクによりシステム制御ユニット１２１に接続される。さらに、光学検出器１１７の代わりに利用される２つの、３つの又はそれより多い光学検出器１１７が存在し得る。試料保持器１１１は、１以上の試料１０９を保持するように構成され、典型的なマイクロタイタープレート、顕微鏡スライド、チップ、ガラスのプレート、ペトリ皿、フラスコ又は任意のタイプの試料保持器であり得る。
【００２６】
顕微鏡システム１００を、光学検出器１１７を利用することにより、オブジェクトステージ１１３上に載置される試料１０９又は任意のタイプの物体の画像を取り込むことが可能である、画像送信デバイス、イメージングデバイス又はイメージングシステムと呼ぶ場合がある。さらに顕微鏡システム１００は、例えば、Ｎｅｗ  Ｊｅｒｓｅｙ州ＰｉｓｃａｔａｗａｙにあるＧＥ  Ｈｅａｌｔｈｃａｒｅが製造するＩＮ  Ｃｅｌｌ  Ａｎａｌｙｚｅｒ２０００又は６０００である場合もある。顕微鏡システム１００は、典型的な共焦点顕微鏡、蛍光顕微鏡、落射蛍光顕微鏡、位相差顕微鏡、微分干渉コントラスト顕微鏡又は当業者に知られている任意のタイプの顕微鏡であり得る。別の実施形態では顕微鏡システム１００は、生体組織体等々の画像を迅速に検出、分析、且つ提供可能である、典型的な高スループット及びハイコンテンツの細胞下のイメージング分析デバイスであり得る。さらに顕微鏡システム１００は、自動化された細胞及び細胞下のイメージングシステムであり得る。
【００２７】
システム制御ユニット１２１を、画像受信デバイス又は画像検出デバイスと呼ぶ場合がある。システム制御ユニット１２１は、顕微鏡システムと物理的に一体化された専用の制御システム、通信リンクを介して顕微鏡システムに接続される外部ユニット又は、一部の機能性がシステムに一体化され一部が外部である、それらの任意の組み合わせであり得る。システム制御ユニット１２１は、光学検出器１１７から試料１０９の画像を受信可能である典型的なコンピュータとして働き、次いでシステム制御ユニット１２１は、画像処理のソフトウェアプログラム、アルゴリズム又は方程式を利用することにより、画像を表示、保存又は処理することが可能である。
【００２８】
システム制御ユニット１２１は、従来のコンピュータ、ラップトップ、ネットブック又はタブレットに関連する典型的な構成要素を含む。システム制御ユニット１２１は、例えば光学検出器１１７からデータを読み出し、顕微鏡システムの構成要素を制御して画像取得等の動作を遂行するために、通信リンクにより顕微鏡システムに接続される。システム制御ユニット１２１は、試料１０９の画像を表示可能なグラフィカルユーザインターフェース（ＧＵＩ）１３０、並びに、キーボード及びポインティングデバイス等々のようなユーザ対話のための入力手段を備える。
【００２９】
一実施形態によれば、生体イメージングのための本顕微鏡システムは、生体試料の画像１３７の画像品質を監視するための画像品質（ＩＱ）監視システム１３５を備える。ＩＱ監視システム１３５は、関心の特定の生体オブジェクトに直接関係する画像品質パラメータを提示することにより、ユーザが画像の相対的な品質を判断することを容易にするように構成され、それらのパラメータは、容易に解釈され、画像品質をどのように改善するかを指し示す。このことを実現するために、ＩＱ監視システム１３５は、システムのユーザに、生体試料の画像１３７において１以上の生体基準オブジェクト（ＢＲＯ）１４５を選択させるように構成される生体オブジェクト選択手段１４０と、１以上のＢＲＯ１４５の画像画素の信号レベルを画像背景信号レベルと比較して、生体試料１０９の画像１３７に対する１以上の画像品質パラメータを計算するように構成される画像品質評価手段１４２とを備える。次いでこれらの画像品質パラメータは、生体試料の画像１３７においてのＢＲＯに対して固有の画像品質の指標としてユーザに提示される。
【００３０】
すでに述べたように、ユーザに提示される画像品質パラメータは、関心の特定の生体オブジェクトに直接関係し、容易に解釈され、顕微鏡システム１００に対するイメージングセッティングを変更することにより画像品質をどのように改善するかを指し示すべきものである。本発明による画像品質パラメータを提供するために、図２に例示するような以下のパラメータを評定且つ使用して、画像品質パラメータとして適しているパラメータを計算することが可能である。
・画像オフセットは、例えば、画像取得ソフトウェアにより画像内のすべての画素に適用される固定のオフセット値である。
・暗雑音レベルは、光学検出器１１７内の暗電流、読み出し雑音及び他の雑音の蓄積の結果として生じる、画像内のすべての画素に対する強度オフセットを表す尺度である。
・カメラバイアスは、所与の露出時間に対して画像オフセット及び暗雑音レベルにより規定される暗画像の強度を表す尺度である。カメラバイアスを、例えば画像取得の開始前に測定することが可能であり、その値は追加の画像分析のために記憶される。
・オブジェクト画素は、オブジェクト強度を計算するために使用される各々のＢＲＯ内部の画素である。
・背景画素は、背景の強度を計算するために使用される各々の背景ＲＯＩ内部の画素である。
・ＢＲＯ絶対信号は、カメラバイアスを引いた、所与のオブジェクトＲＯＩに対するオブジェクト画素の強度を表す尺度である。
・ＲＯＩ絶対背景は、カメラバイアスを引いた、所与の背景ＲＯＩに対する背景画素の強度を表す尺度である。
・ＲＯＩ背景雑音は、標準偏差などの、所与の背景ＲＯＩに対するすべての「背景」画素の雑音を表す尺度である。
・絶対信号は、平均強度などの、すべてのＢＲＯ絶対信号の強度を表す尺度である。
・絶対背景は、平均強度などの、すべてのＲＯＩ絶対背景の強度を表す尺度である。
・画像雑音は、すべてのＲＯＩ背景雑音値の値を表す尺度である（それは例えば、背景区域に対するすべての標準偏差の平均値であり得る）。
【００３１】
一実施形態によれば、上記のパラメータを基礎にして計算されユーザに提示される画像品質パラメータは、
・ＢＲＯと背景との間の相対信号、
・相対信号と背景との間の信号対背景比（ＳＢＲ）及び、
・相対信号と背景雑音との間の信号対雑音比（ＳＮＲ）
のうちの１つ以上である。
【００３２】
一実施形態によれば生体オブジェクト選択手段１４０は、ユーザが、例えばポインタツール、矩形の、卵形の又は任意の形状の区域選択ツール等々を使用することにより、ＧＵＩ環境においてＢＲＯをグラフィカルにマーキング且つ選択することが可能であるように、システム制御ユニット１２１のＧＵＩ１３０と一体化され、ＧＵＩ１３０とともに実装される。生体オブジェクト選択手段１４０を多くの形で実装することが可能であるが、それはユーザフレンドリであり直観的であることが重要である。一実施形態によれば生体オブジェクト選択手段１４０は、生体試料の表示される画像において関心領域（ＲＯＩ）１４１をマーキングすることにより、ユーザに１以上のＢＲＯを選択させるように構成される。ＩＱ監視システム１３５を、ＲＯＩ１４１全体をＢＲＯとして取り扱うように構成することが可能であるが、ＩＱ監視システム１３５を、例えば高い信号レベルを伴う画素を識別することにより、関心領域の境界内部で個々のＢＲＯ１４５を自動的に識別するように構成することが可能である。図３では、２つのＢＲＯ１４５を包含する下側の右のＲＯＩ１４１が示されており、それらのＢＲＯ１４５を、例えば記録された強度等に基づくセグメンテーションにより、ＩＱ監視システム１３５により自動的に識別することが可能である。
【００３３】
一実施形態によれば生体オブジェクト選択手段１４０は、以下のもののうちの１つ以上を備える。
・ユーザが画像上で矩形ＲＯＩを選択することを可能にする矩形選択ツール。ユーザは、選択されることになる各々のＲＯＩのサイズ、アスペクト比、角度（回転）及びＸＹ位置を調整することが可能である。
・ユーザが画像上で円形又は卵形のＲＯＩを選択することを可能にする卵形選択ツール。ユーザは、選択されることになる各々のＲＯＩのサイズ、アスペクト比、角度及びＸＹ位置を調整することが可能である。
・オブジェクトをその局所的背景強度に基づいて自動的にセグメント化するように構成される矢印選択ツール。
【００３４】
一実施形態によれば、矢印選択ツールは１段階ツールであり、ユーザは単純に、矢印ポインタを使用してＢＲＯ内部の場所を選択し、そのことによりツールは自動的に、背景レベルを選択しＢＲＯをセグメント化する。或いは矢印選択ツールは２段階ツールであり、ユーザは最初に、矢印ポインタを使用して、ＢＲＯの周囲の背景レベルを指し示すＢＲＯの外側の場所を選択し、その後ＢＲＯの内側の場所を選択するように誘導され、そのことによりツールは、ユーザにより指示される背景レベルを使用してＢＲＯを自動的にセグメント化するように構成される。
【００３５】
一実施形態によれば画像品質評価手段１４２は、ＢＲＯの規定された範囲内の強度を伴う画素をオブジェクト画素とみなすように構成される。デフォルトのオブジェクト強度値は、Ｍａｘ＝ＢＲＯ内部の最も明るい画素の１００％、Ｍｉｎ＝ＢＲＯ内部の最も明るい画素の９０％であり得る。これらの値は、ユーザが各々の特定のイメージング状況に対して適切な値をセットすることが可能になるように、ユーザ設定可能であり得る。
【００３６】
図３は、生体試料の画像の例を示し、５つのＲＯＩ１４１が、生体オブジェクト選択手段１４０の矩形選択ツールを使用して選択されている。図３に示すように、選択されたＲＯＩはＧＵＩにより明確且つ直観的に表示されている。さらに上記によって識別されたオブジェクト画素１５６が、画像において画素単位でマーキングされている。
【００３７】
一実施形態によればＩＱ監視システム１３５は、システムのユーザに、生体試料の表示される画像において１以上の背景基準領域（ＢＲＲ）１５５を選択させるように構成される背景選択手段１４７を備え、システムは、１以上の画像品質パラメータを計算するために、画像背景信号レベルとして１以上のＢＲＲの画像画素の信号レベルを使用するように構成される。或いはＩＱ監視システム１３５は、例えば、最も低い信号レベルを伴う画像画素を位置特定することによりＢＲＲを選択することにより、生体試料の表示される画像において１以上の背景基準領域（ＢＲＲ）１５５を自動的に選択するように構成される。背景選択手段１４７は、好ましくは生体オブジェクト選択手段１４０と同様の様式で実装されるが、本明細書ではより詳細には説明しない。図３に開示する画像では、２つのＢＲＲ１５５が指示されている。或いは背景基準領域を、最も低い強度値を伴う画像画素を識別すること等々、例えばＦＯＶ全体から最下位の％の薄暗い画素を選択することが可能な、適したアルゴリズムにより自動的に選択することが可能である。
【００３８】
ユーザは、ＢＲＯ及びＢＲＲの選択ツールを使用するときに試料の位置を調整することが可能である。一実施形態では、顕微鏡ＸＹステージにより生成される横方向の試料の偏移を補償するために、画像上でＢＲＯ及びＢＲＲの両方の位置を調整することになる。
【００３９】
顕微鏡システム１００のユーザをさらにサポートするために、計算された画像品質パラメータを、図４に概略的に示すように、ステープルダイヤグラム等々でのように包括的な形で、画像品質の改善の潜在性を指示する基準値に関係して提示することが可能である。一実施形態によれば、前記基準値は特定のＢＲＯクラスに関して予め決定されており、システムは、ユーザに異なるＢＲＯクラスの範囲から適切なＢＲＯクラスを選択させるように構成される。ＢＲＯクラスは、例えば、特定のアッセイのセットアップ、生体試料タイプ等々に対する履歴的な画像品質データに基づき得るものであり、１以上の測定される品質パラメータに関して、前記特定のＢＲＯクラスに対して期待され得る画像品質パラメータに関する関係のある情報を含み得る。
【００４０】
一実施形態によれば、測定されるＩＱパラメータに関する視覚的基準点を、例えば図４に示すように、各々のパラメータに対する「最良」、「容認可能」及び「低」範囲を表示する、信号、ＳＮＲ及びＳＢＲに対するグラフィカルバーにより実装することが可能である。バー上の「最良」、「容認可能」及び「低」範囲は、色分けされている場合がある。デフォルトのセッティングは、それぞれ「緑色」、「黄色」及び「赤色」である。各々のパラメータに対する「最良」、「容認可能」及び「低」範囲は、さらにユーザ設定可能であり得る。述べたように各々のパラメータに対する「最良」、「容認可能」及び「低」範囲の設定は、ユーザ選択の対象タイプに基づく場合がある。各々の対象は、「ＤＡＰＩ染色核」、「ＦＹＶＥアッセイＦＩＴＣ染色」、「Ｚｆｉｓｈ  ＧＦＰ心臓」等のようなユーザ規定のタイプの生体試料であり得る。
【００４１】
対象の選択を、例えば、現在規定されている対象をリストアップするドロップダウンメニューから提供することが可能である。
【００４２】
ある用途では、ＩＱモニタの表示は、デフォルトの対象セッティングを有する場合がある。デフォルトの対象セッティングに対して、ＩＱモニタの範囲を予め設定することが可能である（例えば図４を参照）。デフォルトの信号対雑音比の範囲は、「低」に対して１〜１０、「容認可能」に対して１０〜１００及び「最良」に対して＞１００又は同様であり得る。
【００４３】
さらに別の実施形態によればシステムは、ユーザにより選択されるＢＲＯ／ＢＲＲの特徴付ける特徴部に基づいて、画像において又は後続の画像において、追加的なＢＲＯ及び／又はＢＲＲを自動的に検出且つ選択するように、並びに、それらの追加的なＢＲＯ及び／又はＢＲＲを画像品質パラメータの計算のために使用するように構成される。システムの、その画像分析性能に基づいて追加的なＢＲＯ及びＢＲＲを自動的に識別するための能力を利用することにより、画像品質パラメータに対する統計的により良好な値を実現することが可能である。後続の画像において追加的なＢＲＯ／ＢＲＲを自動的に検出することによって、ユーザは例えば、同様の試料の自動化スクリーニングアッセイの間の画像品質パラメータを登録して、画像の状態及び品質がアッセイの全体を通して一貫していることを確実にすることが可能になる。
【００４４】
一実施形態では、画像品質に関するフィードバックをユーザに与えることに加えて、ＩＱパラメータを画像品質オプティマイザ１５０に対する入力パラメータとして使用することにより、画像品質パラメータを使用して、自動的に画像品質を最適化することが可能である。一実施形態によれば画像品質オプティマイザ１５０は、ユーザに、例えば下記で提案するような、機能的に規定された最適化モードのリストから最適化モードを選択させるように構成され、システムは、１以上の画像取得パラメータを自動的にセットして、ＢＲＯに基づいて、選択された最適化モードに対する最適なイメージングを実現するように構成される。
【００４５】
一実施形態によれば、機能的に規定された最適化モードは、
最良の画像品質、
高速の取得、
低い退色及び、
３Ｄイメージング
のうちの１つ以上を含む。
【００４６】
本発明の今の好ましい実施形態は、類似の構成要素が同じ符号によって識別される図面を参照して説明されている。好ましい実施形態の説明は一例としてのものであり、本発明の範囲を限定することは意図されない。
【００４７】
本発明を特定の実施形態に関して上記で説明したが、当業者には明らかとなるように、本発明の多くの修正及び変形を、以下の特許請求の範囲に記載されるような本発明の趣旨及び範囲から逸脱することなく行うことが可能である。
【図１】
2014523545.tif 000003
【図２】
2014523545.tif 000004
【図３】
2014523545.tif 000005
【図４】
2014523545.tif 000006
【国際調査報告】
2014523545.tif 000007
2014523545.tif 000008
2014523545.tif 000009
2014523545.tif 000010